Podtech/llm-jp-corpus-v4-ja_patent huggingface dataset:
(57)【要約】【課題】高齢者や握力の弱い女性がチャック式サプリメント袋容器のチャックを開けることは大変困難であり、サプリメントを落としたりして取出すことは不可能だった。高齢者や握力の弱い女性でもサプリメントを簡単に取出すことのできるチャック式サプリメント簡単取出し器を提供する。【解決手段】菱形をひしゃいで船体様の器台と器台の中央部に立ち上がる取出し筒口とで構成され、中央部が柔らかく膨らみ、両端に向かって徐々にすぼまっていく細長い流線形状で、器台の上面と底面は船体の甲板と船底に当たり、この船体様器台の中央部に上面から数センチ立ち上がりつつ底面まで貫通した取出し筒が形成され、取出し筒口にはキャップが設けられ、器台の両側面にサプリメント袋容器の取出し口内側にある凹凸レールに見合って、片側面には凹レール、もう一方の側面には凸レールを設けたことを特徴とするチャック式サプリメント簡単取出し器。【選択図】図１
2016078937.tif 000002
【特許請求の範囲】
【請求項１】
菱形をひしゃいで船体様の器台と器台の中央部に立ち上がる取出し筒口とで構成され、器台の平面図は中央部が柔らかく膨らみ、両端に向かって徐々にすぼまっていく細長い流線形状になるのであるが、器台の上面と底面は船体の甲板と船底に当たり、この船体様器台の中央部に上面から数センチ立ち上がりつつ底面まで貫通した取出し筒が形成され、取出し筒口にはキャップが設けられ、器台の両側面の長手方向において、サプリメント袋容器の取出し口内側にある凹凸レールに見合って、片側面には凹レール、もう一方の側面には凸レールを設けたチャック式サプリメント簡単取出し器。
【発明の詳細な説明】
【技術分野】
【０００１】  本発明は、チャック式サプリメント袋容器に装着でき、簡単にサプリメントを取出し筒口から出すことができるチャック式サプリメント簡単取出し器に関するものである。
【背景技術】
【０００２】  従来、高齢者や握力の弱い女性はサプリメントを飲用時に袋容器のチャックを開けること大変困難であり、サプリメントを落としたりしていた。
なお、食品やサプリメントを入れてチャックを強固に閉じる密閉ジップ付収納袋があった（特許文献１参照）。
【先行技術文献】
【特許文献】
【０００３】
【特許文献１】特許公開平７−３００１４５号公報
【発明の概要】
【発明が解決しようとする課題】
【０００４】  チャック式サプリメント袋容器を高齢者や握力の弱い女性が袋容器のチャックを開けることは大変困難であり、サプリメントを落としたりしていた。簡単にサプリメントを取出すことは不可能だった。特許文献１に示される先行技術は指先が荒れていたり、けがをしている時は全く使用不可能だった。
本発明は、以上の問題点を解決するためになされたものである。
【課題を解決するための手段】
【０００５】  菱形をひしゃいで船体様の器台と器台の中央部に立ち上がる取出し筒口とで構成される。器台の平面図は中央部が柔らかく膨らみ、両端に向かって徐々にすぼまっていく細長い流線形状になる。器台の上面と底面は船体の甲板と船底に当たり、この船体様器台の中央部に上面から数センチ立ち上がりつつ底面まで貫通した取出し筒が形成され、取出し筒口にはキャップが設けられる。器台の両側面の長手方向において、サプリメント袋容器の取出し口内側にある凹凸レールに見合って、片側面には凹レール、もう一方の側面には凸レールを形成する。
以上の構成よりなるチャック式サプリメント簡単取出し器である。
【発明の効果】
【０００６】  高齢者や握力の弱い女性にとって、中身が非常に取出しにくかったチャック式サプリメント袋容器が簡単確実に開閉ができ、落としたりこぼしたりする心配がなくなった。
本発明は、サプリメント飲用時に家の中はもちろん、外出先でもサプリメントを落とさず使用できる。又、サプリメントだけでなくお茶、粉、ふりかけなどの袋容器にも使用できる。密封状態も変わらずキープできる。
【図面の簡単な説明】
【０００７】
【図１】  本発明の一部である器台のキャップを外した状態を示す斜視図
【図２】  図１における器台を底面側から示した斜視図
【図３】  本発明の分解斜視図
【発明を実施するための形態】
【０００８】  以下、本発明の実施の形態を説明する。
（イ）  菱形をひしゃいで船体様の器台（６）と器台（６）の中央部に立ち上がる取出し筒口（３）とで構成される。器台（６）の平面図は中央部が柔らかく膨らみ、両端に向かって徐々にすぼまっていく細長い流線形状になる。器台（６）の上面と底面は船体の甲板と船底に当たり、この船体様器台（６）の中央部に上面から数センチ立ち上がりつつ底面まで貫通した取出し筒（４）が形成され、取出し筒口（３）にはキャップ（５）が設けられる。
（ロ）  器台（６）の両側面の長手方向において、サプリメント袋容器（７）の取出し口内側にある凹凸レール（８）に見合って、片側面には凹レール（１）、もう一方の側面には凸レール（２）を形成する。
本発明は以上のような構造である。
本発明を使用するときは、器台（６）の両側面からなる片面凹レール（１）ともう片面凸レール（２）とをサプリメント袋容器（７）の取出し口内側にある凹凸レール（８）に取付けができ、高齢者や握力の弱い女性でもサプリメントを簡単に落とす事なく取出し筒（４）を通り、取出し筒口（３）から取出せる。
【符号の説明】
【０００９】  １  凹レール、２  凸レール、３  取出し筒口、４  取出し筒、５  キャップ  ６  器台、７  サプリメント袋容器、８  凹凸レール
【図１】
2016078937.tif 000003
【図２】
2016078937.tif 000004
【図３】
2016078937.tif 000005
(57)【要約】【課題】従来、パーソナルコンピュータにおいて、ＬＡＮ回線の継断操作は、継断スイッチにより手動操作によって行われていた為、第三者によるＬＡＮ回線の不正使用が危惧されていた。また、当該パーソナルコンピュータに接続された、ＵＳＢメモリや認証デバイス等が、紛失したり盗まれたり、あるいは不正使用される危険性があった。【解決手段】パーソナルコンピュータのＬＡＮ回線の継断を、ＩＣキーにより制御する。また、本発明品にＵＳＢメモリや認証デバイス等を内蔵させ、これらの動作制御をＩＣキーにより行う。【選択図】図１
2016058052.tif 000002
【特許請求の範囲】
【請求項１】
ＩＣキーにより、ＬＡＮ回線の継断を制御することを特徴とする、ＩＣキーを用いたＬＡＮ回線と内蔵したＵＳＢメモリや認証デバイス等の使用を制御する装置。
【請求項２】
本発明品に、ＵＳＢメモリや認証デバイス等を内蔵させ、これらの紛失や盗難を防止することを特徴とする、ＩＣキーを用いたＬＡＮ回線と内蔵したＵＳＢメモリや認証デバイス等の使用を制御する装置。
【請求項３】
本発明品に内蔵させたＵＳＢメモリや認証デバイス等を、ＩＣキーにより制御し、第三者に使用させない様にすることを特徴とする、ＩＣキーを用いたＬＡＮ回線と内蔵したＵＳＢメモリや認証デバイス等の使用を制御する装置。
【発明の詳細な説明】
【技術分野】
【０００１】本発明品は、従来のＬＡＮ回線継断装置における、ＬＡＮ回線継断操作時のセキュリティ性の向上と、当該ＬＡＮ回線継断装置に新規に内蔵させた、ＵＳＢメモリや認証デバイス等の動作制御を行なう装置に関するものである。
【背景技術】
【０００２】従来、パーソナルコンピュータ等に接続されたＬＡＮ回線の継断を行う際、一つの手段として、ＬＡＮ回線継断装置を使用する方法があった。
【先行技術文献】
【特許文献】
【０００３】
【特許文献１】特開２０１４−１１６９１６
【特許文献２】特開２００７−２８２１３８
【特許文献３】特開平１０−３８
【発明の概要】
【発明が解決しようとする課題】
【０００４】従来の技術には次のような欠点があった。
（イ）従来、パーソナルコンピュータにおいて、ＬＡＮ回線の継断操作は、継断スイッチ      により手動操作によって行われていた為、第三者による不正なＬＡＮ回線の接続が      あった。
（ロ）パーソナルコンピュータに接続された、ＵＳＢメモリや認証デバイス等が、紛失し      たり、盗まれたりする危険性があった。
（ハ）パーソナルコンピュータに接続された、ＵＳＢメモリや認証デバイス等が、第三者      により使用される危険性があった。
本発明は、上記課題を解決するためになされたものである。
【課題を解決するための手段】
【０００５】（イ）ＩＣキーにより、ＬＡＮ回線の継断を制御する。
（ロ）本発明品に、ＵＳＢメモリや認証デバイス等を内蔵させ、これらの紛失や盗難を防      止する。
（ハ）本発明品に内蔵させたＵＳＢメモリや認証デバイス等を、ＩＣキーにより制御し、      第三者に使用させない様にする。
【発明の効果】
【０００６】（イ）認証キーを持たない第三者による、ＬＡＮ信号の継断を阻止できる。
（ロ）本発明品に、ＵＳＢメモリや認証デバイス等を内蔵したことにより、ＵＳＢメモリ      や認証デバイス等の紛失や盗難を防止できる。
（ハ）認証キーを持たない第三者による、本発明品内のＵＳＢメモリや認証デバイス等の      不正使用を防止できる。
【図面の簡単な説明】
【０００７】
【図１】本発明品の一実施例を示す説明図である。
【図２】従来のＬＡＮ回線継断装置の一実施例を示す説明図である。
【図３】本発明品の機能を説明したブロック図である。
【発明を実施するための形態】
【０００８】以下、本発明品の実施の形態について、添付図面を参照して説明する。
【実施例】
【０００９】図２は、従来のＬＡＮ回線継断装置９の一実施例を示す説明図である。この場合では、誰でも継断スイッチ２を押せば、ＬＡＮ回線の継断が操作できる仕様である。【００１０】図１は、本発明品の一実施例を示す説明図である。この場合には、ＬＡＮ回線の接続は、ＩＣキー４の認証結果により制御可能となる。【００１１】図３は、本発明品の内部を説明するブロック図である。本発明品に内蔵されたＵＳＢメモリや認証デバイス等８は、ＩＣキー４の認証後に動作可能な状態となる。
【符号の説明】
【００１２】１・・・・・本発明品
２・・・・・継断スイッチ
３・・・・・ＩＣキー用コネクタ
４・・・・・ＩＣキー
５・・・・・ＨＵＢ
６・・・・・パーソナルコンピュータ
７・・・・・ＬＡＮケーブル
８・・・・・ＵＳＢメモリや認証デバイス等
９・・・・・ＬＡＮ回線継断装置
【図１】
2016058052.tif 000003
【図２】
2016058052.tif 000004
【図３】
2016058052.tif 000005
(57)【要約】【課題】過度な物忘れ、認知症によって失われた自分に係る個人情報を、比較的容易に対相手に伝えるため、情報量が多く且つ、普及しているＱＲコードを刻印あるいは溶着、印字したＱＲコードペンダントを提供する。【解決手段】ペンダントの基盤（１）にＱＲコード（２）を刻印あるいは溶着、印字したペンダントを特徴とする。【選択図】図１
2016058051.tif 000002
【特許請求の範囲】
【請求項１】
自分に係る個人情報を収めたＱＲコードを刻印あるいは溶着、印字したペンダント。
【発明の詳細な説明】
【技術分野】
【０００１】この発明は、個人情報を記載した二次元コード（ＱＲコード）の機能を加えたＱＲコードペンダントに関するものである。
【背景技術】
【０００２】従来、
個人情報は他人が容易に知ることができない情報である。
ペンダントは個人が身に着け且つ、他人を意識し、人目を引くための物である。
【先行技術文献】
【特許文献】
【０００３】
【発明の概要】
【発明が解決しようとする課題】
【０００４】高齢になると物忘れが進み、場合によっては認知症を発症する人も少なくない。
また、認知症による高齢者の徘徊、突然の行方不明については珍しいニュースでもなくなって来ている。
【課題を解決するための手段】
【０００５】個人情報（名前、住所、電話番号等）をバーコード（二次元コード（ＱＲコード））として記録し、ペンダントに刻印あるいは溶着、印字する。
本発明は、以上の構成よりなるＱＲコードペンダントである。
【発明の効果】
【０００６】行方不明者の多くは、自分の情報が全て失われたために他の地の施設で生活を過ごしている場合がある。
ＱＲコードペンダントを身に着けていることによって、身元確認が容易であるため情報不足による行方不明者が無くなる。
事故時における身元確認が容易である。
【図面の簡単な説明】
【０００７】
【図１】本発明の正面図である。
【図２】本発明の使用状況を示す一部正面図である。
【発明を実施するための形態】
【０００８】以下、本発明を実施するための形態について説明する。
ペンダントの基盤（１）部分にＱＲコード（２）を刻印あるいは溶着、印字する。
本発明は、以上のような構造である。
これを使用するときは、ペンダントとして常時、首にかけて使用する。
【符号の説明】
【０００９】１  ペンダントの基盤
２  ＱＲコード
【図１】
2016058051.tif 000003
【図２】
2016058051.tif 000004
(57)【要約】      （修正有）【課題】両軸リールのハンドル軸の摩擦力を少なくすることができる魚釣用両軸リールを提供する。【解決手段】魚釣用両軸リール（キャスティングベイトリール）のハンドル軸部をベアリングを用いた転がり軸受け構造とする。ベアリングはリテーナーにより構成される。また、軸受台１の軸取付部２がネジ式で、転がり軸受けハンドル軸受の転がり軸受けハンドル軸受の軸受台への接続部がネジ式構造とする。【選択図】図１
2016029935.tif 000002
【特許請求の範囲】
【請求項１】
魚釣用両軸リール（キャスティングベイトリール）のハンドル軸部がベアリングを用いた転がり軸受け構造である事を特徴とする魚釣用両軸リールハンドル軸。
【請求項２】
ベアリングはリテーナーにより構成される事を特徴とする請求項１記載の魚釣用両軸リール（キャスティングベイトリール）ハンドル軸。
【請求項３】
軸受台（１）の軸取付部（２）がネジ式で、転がり軸受けハンドル軸受（３）の転がり軸受けハンドル軸受の軸受台への接続部（４）がネジ式構造とする事を特徴とする請求項１記載の魚釣用両軸リール（キャスティングベイトリール）ハンドル軸。
【発明の詳細な説明】
【技術分野】
【０００１】
本発明は魚釣用両軸リール（キャスティンベイトグリール）のハンドル軸に関し特に釣行時リールに負荷が掛かるとラインを巻き取る為にハンドルを回す事が、非常に重たく感じることを軽くする技術に関する。
【背景技術】
【０００２】
従来の滑り軸受けの魚釣用両軸リール（キャスティングベイトリール）では、ハンドル軸が図５の滑り軸受けハンドル軸の潤滑油たまり凹み部（７）に存在する潤滑油だけで回転している。
【先行技術文献】
【特許文献】
【０００３】
【特許文献１】特開２００２−３２５５３０
【発明の概要】
【発明が解決しようとする課題】
【０００４】
通常のすべり軸受両軸リールのハンドル軸では、どんなに良い潤滑油を塗ったとしても摩擦力を少なくする事は難しい。
【０００５】
つまり、リールに負荷が掛かった時には摩擦力が大きくなり、ラインを巻き取るハンドルを簡単に回すことが出来ず、結果として大きな魚が掛かった時にラインを巻き取れず魚を捕り逃がしてしまう問題が生じている。
【０００６】
また、リールに非常に大きな摩擦力が生じる為、ハンドル軸の寿命が短く、頻繁に部品交換をしなければならず、さらには軸受台も一体として構成されているため、交換すると非常にコストが掛かるという問題も生じている。
【課題を解決するための手段】
【０００７】
上記の問題を解決する為の本発明の図５のリテーナー（５）を用いたベアリング構造の転がり軸受は、両軸リールのハンドル軸をすべり軸受構造より転がり軸構造に（図５のリテーナー（５）を用いたベアリング式）に変更する事を特徴としている。
【０００８】
通常のすべり軸受両軸リールのハンドル軸は、図５の軸受（６）は溶接又はリベット式で軸受台と一体とされているが、本発明の他の特徴は、図３のハンドル軸受（３）、図１の軸受台（１）を図３の転がり軸受けハンドル軸受の軸受台への接続部（４）、図１の軸受台の軸取付部（２）を共にネジ式にすることにより、図３の転がり軸受けハンドル軸受（３）だけを交換出来る事を特徴としている。
【発明の効果】
【０００９】
本発明により、従来のすべり軸受の時よりも負荷が掛かった際に、摩擦力が少なくスムーズにハンドルが回る事が出来、図３の転がり軸受けハンドル軸受（３）の摩擦力による摩耗を激減することができる。さらには、リールにラインを巻き、ラインのその先に重りブロック（約5キロ）を結び直接リールで巻き取るという実験を行ったが、従来のすべり軸受両軸リールよりも、本発明を用いた転がり軸受両軸リール（キャスティングベイトリール）が前記重りブロックを巻き取る時に、ハンドルを回す力が軽く感じる事が出来た。本発明を用いた転がり軸受両軸リール（キャスティングベイトリール）ではより大きな魚が釣り上げる事が出来る。
【図面の簡単な説明】
【００１０】
【図１】本発明のハンドル軸受が付く軸受台の全体を示す斜視図である。
【図２】本発明のハンドル軸受が付く軸受台の側面図である。
【図３】本発明の転がり軸受のハンドル軸受の全体を示す図である。
【図４】本発明の転がり軸受と軸受台、リテーナーを用いたベアリング、ハンドル軸が組み合わせた状態をＢ−Ｂの線に沿う断面図である
【図５】従来のすべり軸受けハンドル軸受の全体を示す側面図である。
【図６】本発明のハンドル軸受の上に被さるハンドル軸の全体を示す斜視図である。
【発明を実施するための形態】
【００１１】
付属の図面を参照しながら本発明の釣り用ベアリングを用いた転がり軸受両軸リール（キャスティングリール）について説明する。図１の軸受台の軸取付部（２）の部分と図３の転がり軸受けハンドル軸受の軸受台への接続部（４）がネジ式である。
【００１２】
図５は従来のすべり軸受けハンドル軸受を示すものであり、滑り軸受けハンドル軸の潤滑油たまり凹み部（７）を有するが、本発明の図３の本発明の転がり軸受けハンドル軸受（３）には潤滑油たまりのための凹みが無い。
【００１３】
図４はリテーナーを用いたベアリングでサイズは図３のハンドル軸受（３）の外径との図４のリテーナーを用いたベアリング（５）の内径が等しく、図６のハンドル軸（８）の内径と図４のリテーナーを用いたベアリング（５）の外径が等しい。
【００１４】
図６はリールを回す為のハンドルが付く部分であり、構造は図１の軸受台（１）に図３のハンドル軸受（３）が立つよう（図２参照）に、ネジ式で固定されている。従来のハンドル軸は溶接又はリベットで一体として構成されているため、容易に交換できなかったが、本発明はネジ式であるため容易に交換することが可能となっている。
【００１５】
本発明の転がり軸受にする場合は、図３のハンドル軸受（３）と図６のハンドル軸（８）との間に潤滑油だけでは無く、図４のリテーナーを用いたベアリング（５）が間に入り図６のハンドル軸（８）が回転する際にかかる摩擦力大幅に無くすことに成功し、ラインを巻き取るのにハンドルを回す力が非常に少なくなった。
【産業上の利用可能性】
【００１６】
今まで欠点されていた問題を解消でき、両軸リールとは主に釣りにおいて大物釣りに用いられる場合が多いので負荷が掛かる事が非常に多く、大物が掛かった場合に大きな負荷がハンドル軸に掛かるが、本発明で問題が解決され、ハンドルを軽く回す事が出来、ラインを軽く巻きとる事が出来、大物の釣果が予測される。
【符号の説明】
【００１７】
１  軸受台
２  軸受台の軸取付部
３  本発明の転がり軸受けハンドル軸受
４  転がり軸受けハンドル軸受の軸受台への接続部
５  リテーナーを用いたベアリング
６  従来の滑り軸受けハンドル軸受
７  滑り軸受けハンドル軸の潤滑油たまり凹み部
８  ハンドルが付くハンドル軸
【図１】
2016029935.tif 000003
【図２】
2016029935.tif 000004
【図３】
2016029935.tif 000005
【図４】
2016029935.tif 000006
【図５】
2016029935.tif 000007
【図６】
2016029935.tif 000008
(57)【要約】【課題】  ゴキブリを確実に捕獲し、かつ、加工が容易であり、加工コストを低減できる補虫紙を提供する。【解決手段】  基体２に逆円錐台状、逆楕円錐台状または逆多角錐台状の凹部３を設け、凹部３に粘着剤４を充填する。粘着剤が厚くなると接着力が増すという性質により、補虫紙１の周辺部の接着力は弱く、中心側の接着力は強く形成される。また、凹部３の深さが、５〜２００μｍである。【選択図】  図１
2016029938.tif 000002
【特許請求の範囲】
【請求項１】
基体に逆円錐台状、逆楕円錐台状または逆多角錐台状の凹部を設け、前記凹部に粘着剤を充填した補虫紙。
【請求項２】
前記凹部の深さが、５〜２００μｍであることを特徴とする請求項１記載の補虫紙。
【発明の詳細な説明】
【技術分野】
【０００１】
本発明は、補虫紙に関し、詳しくは、粘着剤によりゴキブリ等を捕獲する補虫紙に関する。
【背景技術】
【０００２】
従来、粘着剤によりゴキブリ等を捕獲する補虫紙が市販されている。補虫紙全面に強力な粘着剤を一様に塗布してしまうと、ゴキブリが補虫紙の周辺部に接着した際に、脚部だけを残して逃げてしまうことがあるため、中心部に粘着力の高い粘着剤を、周辺部に粘着力の低い粘着剤を塗布するといった性質の異なる２種類の粘着剤を用いる補虫紙が提案されている（例えば、特許文献１，２，３参照。）。
【先行技術文献】
【特許文献】
【０００３】
【特許文献１】実公昭４２−１６３８１号公報
【特許文献２】実開平４−１６５７２号公報
【特許文献３】特開２００３−２８９７８６号公報
【発明の概要】
【発明が解決しようとする課題】
【０００４】
しかしながら、特許文献１乃至３の補虫紙は、異なる２種類の粘着剤を塗布しなければならず、加工の手間が複雑となり、コストアップにつながっていた。
【０００５】
そこで本発明は、ゴキブリを確実に捕獲し、かつ、加工が容易であり、加工コストを低減できる補虫紙を提供することを目的としている。
【課題を解決するための手段】
【０００６】
上記目的を達成するため、本発明の補虫紙は、基体に逆円錐台状、逆楕円錐台状または逆多角錐台状の凹部を設け、前記凹部に粘着剤を充填したことを特徴としている。
【０００７】
さらに、前記凹部の深さが、５〜２００μｍであると好適である。
【発明の効果】
【０００８】
本発明の補虫紙によれば、逆円錐台状、逆楕円錐台状または逆多角錐台状の凹部に粘着剤を充填することにより、粘着剤が厚くなると接着力が増すという性質を利用して、周辺部の接着力を弱くし、中心側の接着力を強くすることができる。このように、１種類の粘着剤を凹部に充填するという加工工程のみで、２種類の粘着剤を塗布するのと同じ効果を得ることができる。
【図面の簡単な説明】
【０００９】
【図１】本発明の本発明の一形態例を示す補虫紙の断面図である。
【図２】同じく補虫紙の平面図である。
【図３】粘着剤の厚さと接着力の関係を示すグラフである。
【発明を実施するための形態】
【００１０】
図１乃至図２は本発明の補虫紙の一形態例を示すものである。本発明の補虫紙１は、円形状の基体２に、逆円錐台状の凹部３が形成され、凹部内に粘着剤４が充填されている。中央部の粘着剤４の上部には誘引剤５が設けられている。
【００１１】
基体２は、紙又はプラスチックフィルム等を円形状に裁断したものである。また、逆円錐台の凹部３は、プレス加熱や型押し加工等によって、基体２上に形成される。
【００１２】
粘着剤３は、樹脂系又はゴム系の粘着剤である。このような粘着剤は、一般的に図３に示すように、厚さが増えると接着力も増す関係にあるが、一定の厚さを超えると接着力はそれほど増加しないが、粘着性（ねばりつく性能）が上昇する。したがって、凹部３の中心部の深さは、５〜２００μｍが好ましい。
【００１３】
逆円錐台状の凹部３に粘着剤４を充填し乾燥させることにより、粘着剤の厚さと接着剤の相関関係から、補虫紙１の周辺部が弱く、中心部に向けて強くなる接着力の分布となる。
【００１４】
このように形成されることにより、補虫紙１の周辺部では粘着剤４の接着力が弱いためにゴキブリの脚がもげることはなく、中心部の誘引剤に引かれて、ゴキブリは中心部へ向けて歩行を続ける。中心部では接着力が強くなるため、ゴキブリは確実に捕獲されるようになる。
【００１５】
基体１の形状は、円形だけでなく、正方形や長方形といった矩形状やその他の形状でああってもよい。また、凹部３についても、基体の形状に併せて、適宜な形状とすることができる。例えば、正方形状の基体であれば逆四角錐台状の凹部とすることができ、長方形上の基体であれば、逆楕円錐台状の凹部や底面が長方形の逆四角錐台状の凹部とすることが好ましい。
【００１６】
このように、１種類の粘着剤を充填するという工程のみで大量生産が可能なことから、加工コストの低減を図ることができる。なお、乾燥前の粘着剤は流動性があるため、平坦な基体上に、中心部を厚くなるように粘着剤を塗布することは困難であることを付言する。また、捕獲する虫は、ゴキブリに限らず、各種の害虫に適用することができる。
【符号の説明】
【００１７】
１…補虫紙、２…基体、３…凹部、４…粘着剤、５…誘引剤
【図１】
2016029938.tif 000003
【図２】
2016029938.tif 000004
【図３】
2016029938.tif 000005
(57)【要約】【課題】果樹園での桃等の果実栽培で、多量に必要となる果実の袋掛け作業の時間短縮と、労働負荷を軽減、及び収穫作業の容易化を実現する果実袋を提供する。【解決手段】本発明は、果実袋の上部に紐等を通し、巾着袋に似た形状にすることで、果実を果実袋に挿入した後、果柄に直接結束できるようにしたことが特徴である。【選択図】図１
2016029904.tif 000002
【特許請求の範囲】
【請求項１】
果実を収容する袋の上部を容易に集縛する紐等を通したことを特徴とする果実袋。
【請求項２】
果実を収容する袋の上部が自在に開閉できるように、紐等を通す空洞部位が設けられたことが特徴の果実袋。
【請求項３】
袋を段階的に切り離すために、請求項１の袋にミシン目の切り取り線を入れたことが特徴の果実袋。
【発明の詳細な説明】
【技術分野】
【０００１】
本発明は、桃等の果実栽培に用いる果実袋に関するものである。
【背景技術】
【０００２】
桃等の果実栽培では、果実の成長途中で果実を病害虫や、日光、葉すれから守る為、袋掛けをおこなう。
【０００３】
現在は、果実袋に桃等の果実を挿入した後、果実袋の上部を果実が付いた枝の上に回しこみ、ホッチキスや袋に取り付けられた針金を利用して枝の上で結束する方法が一般的である。
【０００４】
しかし、この方法では、結束部位が見えにくく、作業しづらかったり、枝の葉が邪魔になり、一つ一つの袋掛け作業に余分な時間がかかる。
【０００５】
また、桃等の果実の袋掛け作業は、一般的な家族農園であっても数万個に及ぶ為、繰り返し必要となるホッチキスを握りこんだり、針金をねじり込む作業が辛く、農業者の負担を高めている。
【０００６】
さらに、枝の上で結束するタイプの果実袋の場合、収穫時、果実袋ごと枝から引きちぎるように収穫しなくてはならず、果実に余分な力がかかる。その為、桃等の果肉が柔らかい果実では力がかかった部分がアザの様に黒く変色し商品価値を下げてしまう場合が多い。
【先行技術文献】
【特許文献】
【０００７】
【特許文献１】特開2013-192527号公報
【特許文献２】特開2007-202574号公報
【特許文献３】特開2009-207468号公報
【特許文献４】特開2004-57142号公報
【発明の概要】
【発明が解決しようとする課題】
【０００８】
果樹園での桃等の果実栽培で、多量に必要となる果実の袋掛け作業の時間短縮と、労働負荷を軽減、及び収穫作業の容易化を実現する果実袋を提供する。
【０００９】
上記文献１は、付属の針金をつかって袋口の集縛の容易化を目的としたものだが、結束する手間を容易化してもので、結束する前手順として指先をつかって袋口を一か所にたぐり寄せギャザーをつくる手間が残っている。
【００１０】
上記文献3、４では、チャックを使用して袋上部を閉じる方法が記載されているが、桃等の果実では、成長すると枝と果実の隙間が少なく、幅のあるチャック式では、果実にあたり変形させたり、変色させてしまうため、商品価値を下げる。
【課題を解決するための手段】
【００１１】
本発明は、果実袋の上部に紐等を通し、巾着袋に似た形状にすることで、果実を果実袋に挿入した後、果柄に直接、容易に結束できるようにしたことが特徴である。
【発明の効果】
【００１２】
本発明の果実袋は、果実を挿入した後、巾着袋を締める様に果実袋上部の口を紐で絞り、果柄部分に直接集縛し結束することができる為、枝の上でホッチキス等を利用して結束するタイプの果実袋に比べ、簡単で効率よく作業することができる。
また、紐に沿って簡単に絞り込むことができる為、集縛部分の穴が小さく虫除け効果も高い。
収穫時にもメリットがある。従来の枝の上で結束するタイプ果実袋の場合、果実袋ごと枝から引きちぎるように収穫する為、余分な力が果実にかかり、果肉が柔らかく傷みやすい桃等の場合、力のかかった部分が変色し商品価を下げることも多かった。本発明の果実袋では、果実袋が枝などに固定されていない為、自然な力で果実を収穫することができ、果実袋の切れ端などのゴミが取り残されることもない。
また、収穫前に色づけを目的とした除袋をおこなう場合がありますが、その際は、巾着袋を今度は逆に広げるようにして袋口を広げることで、容易に除袋するこが可能である。
【図面の簡単な説明】
【００１３】
【図１】果実袋の形状を説明するものである。
【図２】果実に袋掛けした状態を説明するものである。
【発明を実施するための形態】
【００１４】
本発明の実施形態を図面に基づいて説明する。
【００１５】
図１は、本発明の一実施形態に係る果実袋の斜視図である。袋上部の折り返しで作った空洞部分（図１の１）に、紐（図２の２）を通し、紐に沿って紙を絞り込むことで集縛できる。
【００１６】
袋の素材には防虫効果、撥水効果のある紙を利用し、日光や雨によってはがれないように接着する。
【００１７】
図２は、果実に袋掛けした状態を説明したものである。果実（図２の４）を、果実袋（図２の５）の上部より挿入した後、枝（図２の６）ではなく、果柄（図２の３）に直接紐を絞り込むことで集縛し結束する。
【符号の説明】
【００１８】
図1の１    袋上部の折り返しで作った空洞
図1の２    空洞に通した紐
図1の３    接着された側面
【００１９】
図２の１    紐を絞り込むことで集縛された結束部分
図２の２    紐
図２の３    果柄
図２の４    果実
図２の５    果実袋
図２の６    枝
【図１】
2016029904.tif 000003
【図２】
2016029904.tif 000004
(57)【要約】【課題】例えば、美容室等においての顧客不満は、顧客が伝えた通りのイメージ通り再現できないことであった。その為、顧客のヘア写真を管理することでこの問題は、解決できる。しかし、デジカメで撮影し、パソコンに取り入れ、顧客別に管理することは、時間的な制約上、実質的には無理であり、また、スマートホンのカメラ機能を利用しても顧客別には管理できない。一度の操作と同じデバイスで全方向撮影、音声記録、及びクラウドサーバーに自動保存できない点であった。【解決手段】問題の解決の為には,できるだけ簡単に短時間で撮影を完了し、できるだけ自動化することでこの問題を解決できる。その為、スマートホンを活用し、３６０°全自動撮影、クラウドコンピューティングで自動保存を行うことにより、課題は解決できる。結果として、写真撮影、記録を必要とするざまざまなジャンルに応用できると考えることができる。【選択図】図２
2016029751.tif 000002
【特許請求の範囲】
【請求項１】
全方向写真撮影するスマートホンアプリケーションシステムと、顧客別にクラウドコンピューティングで自動保存システムの手段において、一度の操作で全方向撮影する手段とクラウド自動保存できる手段と撮影しながら音声を記録するスマートホンアプリケーションシステム、及びクラウドサーバシステム。
【発明の詳細な説明】
【技術分野】
【０００１】
本発明は、スマートホンで一度の撮影で全方向の撮影ができ、その写真をクラウドサーバーに自動保存されるスマートホン及びそのアプリケーションシステムに関するものである。
【背景技術】
【０００２】
現在のデジタルカメラでは、全方向の写真撮影をしたあと、クラウドサーバーに顧客別に自動保存することはできない。また、常時インターネットにつながるデバイスではなく、wifi等を接続して、ネットワークにつなげるものである。このような撮影をする必要がある業種業態は多種にわたり、例えば、美容室において顧客のヘア写真を撮影する場合、デジカメで写真を撮りパソコンに取り入れ管理している。もしくは、スマートホンで前後左右の写真を４回シャッターを押さなければならなかった。
【０００３】
しかし、実際の現場においては、ピントを合わせ、４回のシャッターボタンを押す時間的な余裕もなく、実質的には、手間暇がかかり実用的ではなかった。
【０００４】
また、スマートホン等で撮影した場合顧客別に管理し、さらにデバイスの保存容量にも制限がある。その上、デバイスを紛失、及び破損した場合は、データー自体も消失する危険があった。
【０００５】
この改善策として、全方向撮影スマートホンアプリケーションシステムを開発し、それをクラウドサーバーに自動保存することによりこの課題を解決できる。
【先行技術文献】
【特許文献】
【０００６】
【特許文献１】特表2008-536238
【非特許文献】
【０００７】
【非特許文献１】http://jp.techcrunch.com/2014/03/07/gopro-camera-panorama/
【発明の概要】
【発明が解決しようとする課題】
【０００８】
リコーのシータカメラでは、前後に搭載する2個のレンズを使い、周囲をほぼ全域にわたって撮影できるデジカメ。撮影した写真は、スマートフォンやタブレット、パソコン用の専用アプリに読み込むと、「グーグルマップ」のストリートビューのように自由に視点を変えたり、拡大／縮小したりできるが、問題点は、簡単に一度の操作で全方向撮影、及びクラウドサーバーに自動保存できない点である。
【課題を解決するための手段】
【０００９】
本発明は、スマートホンにおいて、一度の操作で、全方向の写真を撮影し、自動保存することを特徴とする。
【発明の効果】
【００１０】
本発明の全方向撮影、自動保存システムは、操作に関わる時間を減らし、業務効率を上げ、さらに顧客満足を生み出すことが利点としてあげられる。
【図面の簡単な説明】
【００１１】
【図１】全方向撮影カメラの撮影方法を示した説明図である。（実施例１）
【図２】自動保存される仕組みを示したブロック図及び構成図である。（実施例２）
【図３】本発明アプリケーションシステムのスクリーンショットである
【図４】撮影された写真がクラウドサーバー上に保存された状態である。
【図５】図５の実施例は、主なスマートホンアプリケーション内の機能構成図であ              る。
【発明を実施するための形態】
【００１２】
全方向撮影スマートホンアプリケーションシステムを開発し、顧客別にクラウドサーバーに自動保存することを実現させた。
【実施例１】
【００１３】
図１は、本発明のアプリケーションシステムの撮影方法図である。
【００１４】
図2は、クラウドサーバー自動保存システム、ブロック図、構成図である。
【００１５】
図３は、本発明アプリケーションシステムのスクリーンショットである。
【００１６】
図４は、撮影された写真がクラウドサーバー上に保存された状態である。
【実施例２】
【００１７】
図５の実施例は、主なスマートホンアプリケーション内の機能構成図である。写真撮    影を起動しながら音声で説明しクラウドに自動保存できて、顧客とその状態を確認し    両者でイメージを共有できる。
【産業上の利用可能性】
【００１８】
本装置を使うことにより、今まで写真撮影を積極的に行わなかった。業界例えば、工    務店、ハウスクリーニング、美装、賃貸住宅管理にも応用できる。
【符号の説明】
【００１９】
１    撮影ボタン
２    記録を見るボタン
３    音声記録確認ボタン
４    撮影サムネイル画像１
５    撮影サムネイル画像２
６    撮影サムネイル画像３
７    撮影サムネイル画像４
８    撮影サムネイル画像５
９    撮影サムネイル画像６
１０  撮影サムネイル画像７
【図１】
2016029751.tif 000003
【図２】
2016029751.tif 000004
【図３】
2016029751.tif 000005
【図４】
2016029751.tif 000006
【図５】
2016029751.tif 000007
(57)【要約】      （修正有）【課題】使用済み注射針のリキャップは針刺し事故の危険性がある。針刺し事故防止台を利用したリキャップ操作によって、針刺し事故を低減させる。【解決手段】針刺し事故防止台の貫通孔２を一つの孔にして、シンプルな構造とした。針刺し事故防止台１を利用して使用済み注射針のリキャップを片手で行うことができる。さらに上面部をすり鉢状にくぼませる事によって、リキャップ時に注射針がキャップ口から外れても、針先が外側に向かわないような構造である。よって針刺し事故を低減させる。【選択図】図１
2016158852.tif 000002
【特許請求の範囲】
【請求項１】
柱状体の中心部に注射針キャップの外径よりやや大きな貫通孔が一つ空いており、その貫通孔に注射針のキャップを差し込んで、使用済み注射針を片手でリキャップする針刺し事故防止台。
【請求項２】
さらに上面部をすり鉢状にくぼませる事によって、リキャップ時に注射針がキャップ口から外れても、針先が外側に向かわない針刺し事故防止台。
【発明の詳細な説明】
【技術分野】
【０００１】
使用後の注射針キャップを手に持たずに注射針にリキャップする、中央部に貫通孔のついた針刺し事故防止台に関する。
【背景技術】
【０００２】
これまでの針刺し事故防止台は形、大きさの異なる注射針キャップに対応するため、多くの孔のついた台であった。
【先行技術文献】
【特許文献】
【０００３】
【特許文献１】特開平９−２８５５４１
【発明の概要】
【発明が解決しようとする課題】
【０００４】
従来の針刺し事故防止台は多くの孔が開いていて、注射針キャップをどの孔に入れて使用するか判別が難しかった。
【０００５】
従来の針刺し事故防止台の上面が平坦なので、針刺し事故防止台にセットされたキャップ口からリキャップ時に注射針が外れた場合、針先が外側に向かい針先が身体の一部に接触する懸念があった。
【課題を解決するための手段】
【０００６】
針刺し事故防止台の孔を一つにすることで、使用する孔の判別は必要なくなった。
【０００７】
柱状体の上面部がすり鉢状にくぼんでおり、リキャップ時に注射針がキャップ口から外れても針先が外側に向かわない為、針先が身体の一部に接触する危険を低減できる。
【０００８】
上面中心の貫通孔に注射針キャップを差し込んでおき、使用後の注射針をキャップ口に差し込む事によって、片手で注射針にリキャップでき、針刺し事故を低減させる。
【発明の効果】
【０００９】
使用済み注射針のリキャップ時の針刺し事故を低減させる。
【図面の簡単な説明】
【００１０】
【図１】本発明の実施形態を示す針刺し事故防止台の外観図
【図２】針刺し事故防止台を上方から見た外観図
【図３】本体中心に貫通孔が空いている図
【発明を実施するための形態】
【００１１】
以下、本発明の実施の形態を図１〜図３に基づいて説明する。
【００１２】
本発明は図に記す柱状体の中心部に注射針キャップの外径よりやや大きな貫通穴が一つ開いており、上面がすり鉢状にくぼんでいる針刺し事故防止台である。
【００１３】
上面中心の貫通孔に注射針キャップを差し込み、使用済み注射針を片手で上から垂直に押し込んで注射針にリキャップする。
【００１４】
針刺し事故防止台の材質はステンレススチール、木材、プラスチック、石膏、硬質ゴム、石材がある。
【符号の説明】
【００１５】
１．本体
２．貫通孔
【図１】
2016158852.tif 000003
【図２】
2016158852.tif 000004
【図３】
2016158852.tif 000005
(57)【要約】      （修正有）【課題】生体情報を取得して疾病発症危険度変化を予測する際に、頭部血圧を精度よく測定することのできる疾病発症危険度変化早期警報システムを提供する。【解決手段】非侵襲で脈波を観測する以外に咀嚼行動を検出し、これを加味して血圧上昇予測をする。【選択図】図１
2016158849.tif 000002
【特許請求の範囲】
【請求項１】
人間あるいは動物の生体情報を取得する生体情報取得部と、
前記生体情報取得部が取得した生体情報を記憶する取得情報記憶部と、
前記取得情報記憶部が記憶した生体情報に基づいて前記人間あるいは動物における疾病あるいは症状の発症の危険度の変化を予測する疾病発症危険度変化予測部と、
前記疾病発症危険度変化予測部の予測値に基づいて疾病あるいは症状の発症危険度上昇警報を出力する警報出力部と、
を具備する疾病発症危険度変化早期警報システムであって、
前記生体情報取得部として、
さらに咀嚼動作検出部を備える
ことを特徴とする疾病発症危険度変化早期警報システム。
【発明の詳細な説明】
【技術分野】
【０００１】
本発明は、特定の疾病発症の危険度の変化の予測を行うシステムに関するものである。
【背景技術】
【０００２】
従来、脳血管障害のような重篤な疾病の発症を予防する目的で血圧や心拍数などの生体情報を断続的に医療機関受診時以外にも測定することが推奨されてきた。特に高血圧は多くの疾病の発生要因になることから注目されてきた。このことより本願発明者は先行技術文献の特許文献１の発明を成して出願した。
【先行技術文献】
【特許文献】
【０００３】
【特許文献１】特願２０１４−１９１４０１号
【特許文献２】特開２００６−３２０７３５号公報
【特許文献３】特開２０１３−０３９１６０号公報
【非特許文献１】「心拍変動、唾液、脳波による咀嚼時自律神経系機能評価」日本咀嚼学会誌２００６年１６巻２号、石山育朗・鈴木政登・佐藤誠・中村泰輔
【発明の概要】
【発明が解決しようとする課題】
【０００４】
脳卒中予防を主目的とした血圧の連続測定において、既存の脈拍／血圧測定装置の主な装着部位である手首（橈骨動脈）は、手の上げ下げ等の日常生活中の動作の影響を受けやすく、脳卒中の予兆が現れる頭部血圧との乖離が生じてしまう。頭部の浅側頭動脈や顔面動脈が装着部位として好適であるが、咀嚼及び発声（会話）時の下顎骨及び筋肉の動きや声帯振動が脈波波形に重畳してしまうという問題があった。
また食事や発声は血圧上昇要因であるが、単純な脈拍／血圧測定器では咀嚼／発声有無の検知は不要のため、その情報は活用されていなかった。
咀嚼については、先行技術として特許文献２・特許文献３・非特許文献があるが、本件発明が解決しようとする課題を解決するには至らないものであった。
【課題を解決するための手段】
【０００５】
そこで本願発明者は課題を解決すべく、特許文献１に基づいた応用発明である本願発明を成した。
【０００６】
本発明による疾病発症危険度変化早期警報システムは、
「人間あるいは動物の生体情報を取得する生体情報取得部と、
生体情報取得部が取得した生体情報を記憶する取得情報記憶部と、
取得情報記憶部が記憶した生体情報に基づいて人間あるいは動物における疾病あるいは症状の発症の危険度の変化を予測する疾病発症危険度変化予測部と、
疾病発症危険度変化予測部の予測値に基づいて疾病あるいは症状の発症危険度上昇警報を出力する警報出力部と、
を具備する疾病発症危険度変化早期警報システムであって、
生体情報取得部として、さらに咀嚼動作検出部を備える」
ことを特徴としている。
【発明の効果】
【０００７】
本発明により、頭部血圧を精度よく測定することが可能となり、疾病発症危険度変化早期警報システムの使用者のＱＯＬ（生活の質）を向上することができる。
【発明を実施するための形態】
【０００８】
詳細な説明の前に、本明細書内で共通の事項について説明する。
本発明は、先行技術である特許文献１を応用した発明であり、本発明と共通する事項については本発明において特に触れず、差異である本発明の要旨のみを説明する。
【図面の簡単な説明】
【０００９】
【図１】頭部血管・筋肉。骨およびセンサー配置について示す図である。
【図２】本発明の態様の例を示す図である。
【図３】本発明の態様の別の例を示す図である。
【図４】本発明適用による咀嚼有無の検出を示す図である。
【実施例】
【００１０】
図１は、人体頭部を示したものである。
特に、脳卒中の影響を検討する上で重要な動脈と、咀嚼に必要な要素（筋肉および関節）について取り上げており、これらの場所にセンサを取りつける。
【００１１】
Ａ）
以下の（１）（２）（３）にセンサを配し、脈波・咀嚼・発声状態を取得する
（１）浅側頭動脈    →  脈波    例えば光センサや圧力センサ
（２）顎関節及びその近傍の下顎骨  →  顎の動き    例えば圧力センサや変位／加速度センサ
（３）側頭筋  →  噛みしめ    例えば圧力センサや筋電センサ
【００１２】
Ｂ）
上記のＡで得られた下顎骨信号と咀嚼筋信号の少なくとも一つより咀嚼と発声の有無検知を行う
・下顎骨と咀嚼筋の複合の場合
−  下顎骨の動きのみ検知  →  発声
−  下顎骨の動き検知  かつ  咀嚼筋の収縮検知  →  咀嚼
・咀嚼筋のみの場合
−  咀嚼筋の収縮レベルに閾値を設定  →  咀嚼と発声
【００１３】
Ｃ）
以下の（４）と（５）にセンサを配し、脈波及び咀嚼状態を取得する
（４）顔面動脈    →  脈波  例えば圧力センサ、マイクロフォン
（５）下顎骨    →  顎の動き  例えば変位／加速度センサ
【００１４】
Ｄ）
上記Ｃの（４）で得られた信号を周波数分析結果に基づき、声帯振動有無を判別する
【００１５】
Ｅ）
上記Ａ〜Ｄの情報を用い、特許文献１の連続生体情報測定装置を拡張する。
さらに、使用者への装着を考え、図２（眼鏡型）や図３（ヘッドフォン型）のような態様の装置としてもよい。
あるいは図示していないマスク型の装置としても良い。
【００１６】
図４は、実際に模擬的な咀嚼を行った際の脈波波形を測定した結果である。
この様に、安静状態から咀嚼状態へ移行しても脈波成分を十分に分離可能であることがわかる。
このことより、頭部各所へのセンサ装着は脈は測定精度を向上させる効果がある。
【００１７】
以上、本発明について好適な実施例を挙げて説明したが、本発明はこれらの実施例に限定されるものではなく、発明の精神を逸脱しない限り多くの改変を施すことが可能であるのは勿論である。
【産業上の利用可能性】
【００１８】
量産可能な生体情報読取素子（センサ）・取得情報記憶部（メモリなど）・変化予測部（マイコンなど）・警報出力部（モニタやスピーカなど）を用いて安定した疾病発症危険度変化早期警報を行うことができ、使用者の生活の質を向上させるなどの効果を有している。
【図１】
2016158849.tif 000003
【図２】
2016158849.tif 000004
【図３】
2016158849.tif 000005
【図４】
2016158849.tif 000006
(57)【要約】【課題】熱エネルギーを電気エネルギーに変換する。【解決手段】一方に電極を、他方にイオン化触媒と電極を備え、その間に臭化鉄（ｉｉｉ）を入れた筐体を構成し、筐体外部から加熱して生成した臭素を一旦貯蔵しておき、次いで筐体を冷却して臭素を導入することによって電力を得る方法。【選択図】図１
2016158468.tif 000002
【特許請求の範囲】
【請求項１】
臭化鉄（ｉｉｉ）を熱分解して解離した臭素を一旦貯蔵し、生成した臭化鉄（ｉｉ）を冷却し、解離した臭素を導入して反応せしめる熱発電方法。
【請求項２】
臭化鉄（ｉｉｉ）を充填した筐体と臭化鉄（ｉｉ）を充填した筐体の正電極側を導管で結んで交互に加熱と冷却を繰り返す熱発電方法。
【発明の詳細な説明】
【技術分野】
【０００１】  熱エネルギーを電気エネルギーに変換する技術分野
【背景技術】
【０００２】  従来から熱エネルギーから電力を得る方法は各種あり、最も代表な方法は、天然ガスや石油などの火力発電あるいは原子力発電などがある。また小規模の発電では、ゼーベック効果を利用した熱電発電が注目を浴びている。
【先行技術文献】
【特許文献】
【０００３】
【発明の概要】
【発明が解決しようとする課題】
【０００４】  本発明は、熱エネルギーから蓄電池的あるいは連続的に電力に変換する方法である。
【課題を解決するための手段】
【０００５】  加熱によって解離し、冷却によって再結合する臭化鉄（ｉｉｉ）を、一方に電極、他方にイオン化触媒と電極を備えた筐体（以下筐体）を構成する。筐体の外部から熱エネルギーを加えて放出した臭素を一旦貯蔵したのち、冷却した筐体に導入することによって、両電極間から電力を得る。（図１）また一方に臭化鉄（ｉｉｉ）、他方に臭化鉄（ｉｉ）を入れた２個の筐体を繋いで、一方を加熱し、他方を冷却し、起電力が低下した段階で加熱ー冷却を反転させると、ほぼ連続的に発電する。（図２）
【発明の効果】
【０００６】  この方法によって、簡単な構造で熱エネルギーを電力に変換出来て、生成したハロゲンを貯蔵すれば蓄電も出来る。
【図面の簡単な説明】
【０００７】
【図１】は蓄電池型。
【図２】は連続型。▲１▼は負電極  ▲２▼は正電極  ▲３▼は筐体  ▲４▼は臭化鉄  ▲５▼はイオン化触媒  ▲６▼は導管  ▲７▼は臭素貯槽
【発明を実施するための形態】
【０００８】  この方法を説明する化学反応式は、次のとおり。
2016158468.tif 000003
ここで使用する臭化鉄は、炭素粉末に含浸して集電することが望ましい。あるいは、炭酸エチレンなどの高沸点有機溶媒に溶解あるいは分散してもよい。イオン化触媒は、炭素繊維に白金、ルテニウム、ロジュウムなどを付着して使用すると発電効率が向上し、かつ電極を兼ねることが出来る。イオン化触媒および正陰極は、臭素の通過のため多孔質とする。
【符号の説明】
【０００９】▲１▼および▲２▼は、電力を取り出す為の電極。▲３▼は、ガラス、琺瑯あるいはフッ素樹脂ライニングした鉄製筐体。▲４▼は活性炭素に付着、あるいは炭酸エチレンなどのイオン性溶剤に溶解あるいは分散した臭化鉄（ｉｉｉ）。▲５▼は粒状活性炭あるいは炭素繊維に付着したイオン化触媒。▲６▼は発生した臭素の導管。▲７▼は臭素の貯槽。
【図１】
2016158468.tif 000004
【図２】
2016158468.tif 000005
(57)【要約】【課題】  電気のいらないモーターを作る。【解決手段】  モーターの中心部電磁石の部分を永久磁石にした。【選択図】図１
2016158470.tif 000002
【特許請求の範囲】
【請求項１】
モーターの電磁石の部分を永久磁石にしたモーター。
【発明の詳細な説明】
【発明の詳細な説明】
【技術分野】
【０００１】  本発明は既存のモーターの電磁石の部分を永久磁石にしたモーターに関するものである。
【背景技術】
【０００２】  従来モーターは電気を使ってモーターの中に電磁石を作ってその周りに永久磁石を置いて電磁石と永久磁石の反発する力で、軸を回していた為、電気代が必要であった。
【発明を実施するための形態】
【０００３】  本発明は既存のモーターの電磁石の部分を永久磁石にしたもので、それを図面について、説明すれば、モーター１の内部の周りに永久磁石を置いて、その中心に軸３の周りに永久磁石４をＳ極とＮ極を反発する様に置いたものである。
【発明の効果】
【０００４】  この様にすれば電気を使わなくても、永久磁石同士が反発する電力のいらないモーターになり、大変便利である。
【図面の簡単な説明】
【図１】  本発明の分解斜視図である。
【符号の説明】  １  モーター
２  永久磁石
３  軸
４  永久磁石
【図１】
2016158470.tif 000003